(57)【要約】    【課題】  高セキュリティでユーザビリティを向上させることができる印刷システム、印刷制御装置、印刷制御方法、印刷方法、プログラム、及び記憶媒体を提供する。    【解決手段】  印刷システム１０００は、印刷データを格納するクライアントコンピュータ１００と、クライアントコンピュータ１００からの印刷データを印刷する印刷装置２００とを備える。クライアントコンピュータ１００は、表示部１０１と、入力部１０２と、印刷データの部数の順番を示す部番号を制御する部番制御部１０７ａが格納されたプリンタドライバ１０７とを備える。部番号設定処理を実行する際に、部番号の設定値の範囲と配布先の名称とを関係付ける設定を行う。印刷装置２００は、配布先の名称及び印刷データの双方を印刷する。【選択図】      図３
2006134244.tif 000002
【特許請求の範囲】
【請求項１】
印刷データを印刷する印刷装置と、当該印刷装置により印刷される印刷データを生成する印刷制御装置とから成る印刷システムにおいて、前記印刷装置により印刷される印刷データの部数の順番を示す部番号を設定する部番号設定手段と、前記印刷装置により印刷された印刷データの印刷物を配布すべき配布先に関する情報を設定する配布先設定手段と、前記設定された部番号と前記配布先に関する情報とを関係付ける情報管理手段とを備えることを特徴とする印刷システム。
【請求項２】
前記印刷装置は、前記部番号に応じて前記印刷データの印刷を実行すると共に、前記配布先に関する情報を印刷することを特徴とする請求項１記載の印刷システム。
【請求項３】
前記関係付けた部番号及び配布先に関する情報のデータを格納する格納手段を備えることを特徴とする請求項１又は２記載の印刷システム。
【請求項４】
前記印刷制御装置は、前記部番号設定手段と、前記配布先設定手段と、前記情報管理手段と、前記印刷装置により印刷される印刷データに前記設定された配布先に関する情報を添付する添付手段とを備えることを特徴とする請求項１乃至３のいずれか１項に記載の印刷システム。
【請求項５】
前記部番号設定手段は、前記印刷装置により印刷される印刷データの部数の順番の最初の番号及び最後の番号の少なくとも一方を入力する入力手段を備えることを特徴とする請求項１乃至４のいずれか１項に記載の印刷システム。
【請求項６】
印刷データを印刷する印刷装置に接続され、当該印刷装置により印刷される印刷データのセキュリティを管理すると共に前記印刷装置の印刷を制御する印刷制御装置において、前記印刷装置により印刷される印刷データの部数の順番を示す部番号を設定する部番号設定手段と、前記印刷装置により印刷された印刷データの印刷物を配布すべき配布先に関する情報を設定する配布先設定手段と、前記設定された部番号と前記配布先に関する情報とを関係付ける情報管理手段とを備えることを特徴とする印刷制御装置。
【請求項７】
前記関係付けた部番号及び前記配布先に関する情報のデータを格納する格納手段を備えることを特徴とする請求項６記載の印刷制御装置。
【請求項８】
前記印刷装置により印刷される印刷データに前記設定された配布先に関する情報を添付する添付手段を備えることを特徴とする請求項６又は７記載の印刷制御装置。
【請求項９】
前記部番号設定手段は、前記印刷装置により印刷される印刷データの部数の順番の最初の番号及び最後の番号の少なくとも一方を入力する入力手段を備えることを特徴とする請求項６乃至８のいずれか１項に記載の印刷制御装置。
【請求項１０】
印刷データを印刷する印刷装置と、当該印刷装置により印刷される印刷データを生成する印刷制御装置とから成る印刷システムの印刷制御方法において、前記印刷装置により印刷される印刷データの部数の順番を示す部番号を設定する部番号設定ステップと、前記印刷装置により印刷された印刷データの印刷物を配布すべき配布先に関する情報を設定する配布先設定ステップと、前記設定された部番号と前記配布先に関する情報とを関係付ける情報管理ステップとを有することを特徴とする印刷制御方法。
【請求項１１】
前記印刷装置に、前記部番号に応じて前記印刷データを印刷させると共に、前記配布先に関する情報を印刷させる印刷ステップを有することを特徴とする請求項１０記載の印刷制御方法。
【請求項１２】
前記関係付けた部番号及び配布先に関する情報のデータを格納する格納ステップを有することを特徴とする請求項１０又は１１記載の印刷制御方法。
【請求項１３】
前記印刷装置により印刷される印刷データに前記設定された配布先に関する情報を添付する添付ステップを有することを特徴とする請求項１０乃至１２のいずれか１項に記載の印刷制御方法。
【請求項１４】
前記部番号設定ステップは、前記印刷装置により印刷される印刷データの部数の順番の最初の番号及び最後の番号の少なくとも一方を入力する入力ステップを有することを特徴とする請求項１０乃至１３のいずれか１項に記載の印刷制御方法。
【請求項１５】
印刷装置により印刷される印刷データを生成する印刷制御装置に実行させるプログラムであって、前記印刷装置により印刷される印刷データの部数の順番を示す部番号を設定する部番号設定モジュールと、前記印刷装置により印刷された印刷データの印刷物を配布すべき配布先に関する情報を設定する配布先設定モジュールと、前記設定された部番号と前記配布先に関する情報とを関係付ける情報管理モジュールとを備えることを特徴とするコンピュータ読み取り可能なプログラム。
【請求項１６】
請求項１５記載のプログラムを格納することを特徴とするコンピュータ読み取り可能な記憶媒体。
【請求項１７】
印刷される部番号に対応する配布先に関する情報を設定する設定手段と、
前記設定手段により設定された印刷される部番号に対応する配布先に関する情報を保存する保存手段と、
前記保存手段により保存された印刷される部番号に対応する配布先に関する情報を出力する出力手段とを備えることを特徴とする印刷システム。
【請求項１８】
印刷される部番号に対応する配布先に関する情報を設定する設定ステップと、
前記設定ステップで設定された印刷される部番号に対応する配布先に関する情報を保存する保存ステップと、
前記保存ステップで保存された印刷される部番号に対応する配布先に関する情報を出力する出力ステップとを有することを特徴とする印刷方法。
【請求項１９】
印刷される部番号に対応する配布先に関する情報を設定する設定モジュールと、
前記設定モジュールにより設定された印刷される部番号に対応する配布先に関する情報を保存する保存モジュールと、
前記保存モジュールにより保存された印刷される部番号に対応する配布先に関する情報を出力する出力モジュールとを備えることを特徴とするコンピュータ読み取り可能なプログラム。
【請求項２０】
印刷される部番号に対応する配布先に関する情報を設定する設定モジュールと、
前記設定モジュールにより設定された印刷される部番号に対応する配布先に関する情報を保存する保存モジュールと、
前記保存モジュールにより保存された印刷される部番号に対応する配布先に関する情報を出力する出力モジュールとを備えるプログラムを記憶したことを特徴とするコンピュータ読み取り可能な記憶媒体。
【発明の詳細な説明】
【技術分野】
【０００１】
本発明は、印刷システム、印刷制御装置、印刷制御方法、印刷方法、プログラム、及び記憶媒体に関し、特に、印刷装置により印刷される印刷データのセキュリティを管理する印刷システム、印刷制御装置、印刷制御方法、印刷方法、プログラム、及び記憶媒体に関する。
【背景技術】
【０００２】
印刷システムは、印刷データを格納し、そのセキュリティを管理する印刷制御装置としてのクライアントコンピュータ（ＰＣ）と、ＰＣからの印刷データを印刷する印刷装置とから成る。
【０００３】
印刷データのセキュリティを向上させるために、印刷される印刷データの部数の順番を示す部番号を印刷データに設定するセキュアド（security administration）処理を実行することが提案されている。このようなセキュアド処理を実行することにより、複数部の印刷物に同一の部番号が設定されている場合に、それらが不正コピーであることを容易に把握することができる（例えば、特許文献１参照）。
【０００４】
さらには、このような不正コピーの配布先の名称を特定するために、印刷データとその印刷物の配布先の名称とを関係付けるセキュリティ管理処理を実行することが提案されている。
【特許文献１】特開２００４−００５４６４号公報
【発明の開示】
【発明が解決しようとする課題】
【０００５】
しかしながら、上記セキュアド処理を実行することにより、不正コピーの把握を可能とするが、不正コピーの配布先の名称を特定することができず、セキュリティが十分に高いとはいえない。
【０００６】
また、上記セキュリティ管理処理では、セキュアド処理における部番号とは別に、印刷データとその印刷物の配布先の名称とを関係付ける必要があるので、ユーザビリティが低い。
【０００７】
本発明の目的は、高セキュリティでユーザビリティを向上させることができる印刷システム、印刷制御装置、印刷制御方法、印刷方法、プログラム、及び記憶媒体を提供することにある。
【課題を解決するための手段】
【０００８】
上記目的を達成するために、本発明は、印刷データを印刷する印刷装置と、当該印刷装置により印刷される印刷データのセキュリティを管理すると共に前記印刷装置による印刷を制御する印刷制御装置とから成る印刷システムにおいて、前記印刷装置により印刷される印刷データの部数の順番を示す部番号を設定し、前記印刷装置により印刷された印刷データの印刷物を配布すべき配布先に関する情報を設定し、前記設定された部番号と前記配布先に関する情報とを関係付けることを特徴とする。
【０００９】
また、上記目的を達成するために、本発明は、印刷される部番号に対応する配布先に関する情報を設定し、前記設定手段により設定された印刷される部番号に対応する配布先に関する情報を保存し、前記保存手段により保存された印刷される部番号に対応する配布先に関する情報を出力することを特徴とする。
【発明の効果】
【００１０】
本発明によれば、印刷データの部数の順番を示す部番号と、印刷データを配布すべき配布先に関する情報とを関係付けるので、高セキュリティでユーザビリティを向上させることができる。
【００１１】
また、本発明によれば、印刷される部番号に対応する配布先に関する情報を設定し、設定された印刷される部番号に対応する配布先に関する情報を保存し、保存された印刷される部番号に対応する配布先に関する情報を出力するので、高セキュリティでユーザビリティを向上させることができる。
【発明を実施するための最良の形態】
【００１２】
以下、本発明の実施の形態を図面を参照しながら詳細に説明する。
【００１３】
図１は、本発明の実施の形態に係る印刷システムの構成を概略的に示すブロック図である。
【００１４】
図１において、印刷システム１０００は、印刷データを格納し、そのセキュリティを管理する印刷制御装置として機能するクライアントコンピュータ１００と、クライアントコンピュータ１００からの印刷データを印刷する印刷装置２００と、クライアントコンピュータ１００及び印刷装置を接続する通信回線３００とから構成される。通信回線３００には、他の印刷装置も接続される。印刷装置２００は、コントローラ部２０１と、エンジン部２０２とを備える。通信回線３００は、例えば、ＬＡＮ（local area network）、又はＩＥＥＥ１３９４若しくはＵＳＢ（universal serial bus）などの双方向シリアルインタフェースから成る。
【００１５】
クライアントコンピュータ１００は、ＣＲＴ（cathode ray tube）ディスプレイ、液晶ディスプレイなどの表示デバイスから成る表示部１０１と、キーボードやマウスなどのポインティングデバイスから成る入力部１０２と、入出力データ制御部１０３と、インタフェース制御部１０４と、記憶媒体読み取り装置１０５と、記憶部１０６と、データ制御部としてのプリンタドライバ１０７と、中央演算処理装置から成るＣＰＵ１０８と、これらを接続するシステムバス１０９とを備える。
【００１６】
表示部１０１及び入力部１０２は、クライアントコンピュータ１００のユーザインタフェース（ＵＩ）を構成する。
【００１７】
記憶媒体読み取り装置１０５は、所定の記録媒体に記録されたプリンタドライバ、キャリブレーションソフトウェアなどのプログラムや画像データや印刷データを読み取ることができる。記憶媒体としては、ＦＤ（フロッピー（登録商標）ディスク）、ＣＤ−ＲＯＭ、ＲＯＭ、ＤＶＤ、磁気テープなどがある。
【００１８】
プリンタドライバ１０７は、クライアントコンピュータ１００上に常駐しているオペレーティングシステム（ＯＳ）及び印刷装置２００の双方に対応するように、所定のアプリケーションなどを用いて生成された印刷データを印刷装置２００の機種に応じて加工するためのプログラムと、印刷装置２００を制御するためのプログラムとを実行するソフトウェアである。このプリンタドライバ１０７には、さらに、印刷される印刷データの部数の順番を示す部番号を制御するプログラムから成る部番制御部１０７ａが格納されている。部番制御部１０７ａは、記憶部１０６又は記憶媒体読み取り装置１０５が読み取り可能な記憶媒体に格納されていてもよい。
【００１９】
図２は、図１におけるクライアントコンピュータ１００において実行される印刷データ制御処理プログラムのフローチャートである。
【００２０】
図２において、まず、プリンタドライバ１０７に対してユーザからの入力部１０２を介した入力処理を行う（ステップＳ１）。その入力によって指示される処理内容がＵＩに対する設定に関する処理であるか否か、即ちＵＩの設定を行うか否かを判別し（ステップＳ２）、ＵＩの設定を行うときは、ステップＳ１の入力によって指示される処理内容が、ＵＩの設定のうち、部番号の設定に関する処理であるか否か、即ち部番号の設定を行うか否かを判別する（ステップＳ３）。
【００２１】
ステップＳ３の判別の結果、部番号の設定を行うときは後述する図３の部番号設定処理を実行して（ステップＳ４）、本処理を終了し、一方、部番号の設定を行わないときは、ＵＩの他の設定を行い、印刷データを印刷すべき用紙のサイズ、部数、向きなどの設定すべき内容を決定して（ステップＳ５）、本処理を終了する。
【００２２】
ステップＳ２の判別の結果、ステップＳ１の入力によって指示される処理内容がＵＩの設定を行うものでないときは、その処理内容が、印刷データを印刷する印刷処理であるか否か、即ち印刷を実行するか否かを判別し（ステップＳ６）、印刷を実行するときは、例えばステップＳ４やステップＳ５の処理で設定されたＵＩの設定内容を取得し（ステップＳ７）、後述する図５の印刷処理を実行して（ステップＳ８）、本処理を終了し、一方、印刷を実行しないときは、ステップＳ７，Ｓ８をスキップして本処理を終了する。
【００２３】
図２の処理によれば、部番号設定処理を実行する（ステップＳ４）ので、複数の印刷物に同一の部番号が設定されている場合に、それらが不正コピーであることを容易に把握することができる。
【００２４】
図３は、図２のステップＳ４において実行される部番号設定処理プログラムを詳細に示すフローチャートである。
【００２５】
図３において、まず、ユーザは、入力部１０２及び表示部１０１の表示画面１０１ａ（図４）を介して部番号を設定する（ステップＳ４００）（部番号設定手段）。ユーザにより入力される部番号は、印刷される印刷データの部数の順番の最初の数字を示す開始部番号と、該順番の最後の数字を示す終了部番号とから成る。ユーザは、例えば開始部番号として「１」を、終了部番号として「５０」を入力し、この結果、部番号の設定値の範囲としては「１〜５０」が設定される。なお、開始部番号及び終了部番号のいずれか一方だけが入力されてもよい。
【００２６】
表示画面１０１ａにおいて、ユーザが「詳細設定」キーを押下すると（ステップＳ４０１ａでＹＥＳ）、表示画面１０１ａは、図４の表示画面１０１ｂに遷移する。続くステップＳ４０２では、表示画面１０１ｂにおいて、部番号の設定値の範囲、及び当該部番号の設定値の範囲に対応する印刷データの印刷物の配布先の名称の双方を入力することにより（配布先設定手段）、部番号の設定値の範囲と配布先の名称とを関係付ける設定を行う（情報管理手段）。部番号の設定値の範囲は、例えば、部番号の設定値１〜５０のうち部番号２１〜５０の範囲を特定する場合には表示画面１０１ｂに「２１−５０／５０」と表示されるが、これ以外の表示方法であってもよい。
【００２７】
例えば、表示画面１０１ｂに示すように、部番号が「１〜１０」の印刷データの配布先の名称が「Sales Section」であること、部番号が「１１〜１２」の印刷データの配布先の名称が「Dev. Section」であること、部番号が「１３〜２０」の印刷データの配布先の名称が「Design Section」であること、部番号が「２１〜５０」の印刷データの配布先の名称が「QA11-Section」であることが設定される。なお、配布先の名称は、いかなるものであってもよいが、特定を容易にするために、セクション名、個人名称、会社名称などであるのが好ましい。
【００２８】
また、表示画面１０１ｂに示すように、部番号の設定値範囲や配布先の名称は、物理的なファイルの一覧からの参照が可能であるように構成されている。具体的には、「ファイルから読み込む」ボタンを押下することにより、所定のファイルを容易に指定することができる。指定されるファイルには、例えば、部番号の設定値の範囲「０１−１０／５０」と配布先の名称「Sales Section」とを関連付けたデータが格納されている。なお、第三者がこのようなファイルの一覧を容易に参照することができないように、所定のセキュリティ対策が施されていることが好ましい。また、配布先の名称は、「アドレスブックを参照する...」ボタンを押下して、複数の配布先の名称が格納されているアドレスブックから所定の配布先の名称を選択することにより、容易に入力することができる。
【００２９】
また、ステップＳ４０３では、表示画面１０１ｂにおいて、オプション機能を設定する。このオプション機能としては、部番号の設定値の範囲と配布先の名称と関連付けのみに関する２つの機能「ログを残す」及び「配布先添付印刷」が設けられている。
【００３０】
「ログを残す」のチェックボックスをオンにすることにより、部番号の設定値の範囲と配布先の名称とを関連付けたデータは、記憶部１０６に設けた所定のファイル、メモリ、データベースなどの格納手段に格納されて管理される。
【００３１】
「配布先添付印刷」のチェックボックスをオンにすることにより、部番号の設定値の範囲と配布先の名称とを関連付けたデータは、印刷装置２００へ送付される印刷データに添付され、印刷装置２００は配布先の名称及び印刷データの双方を印刷することが可能となる。この配布先の名称の印刷に関して、印刷装置２００は、印刷用紙の一部に印刷データと共に印刷するように設定することも、配布先の名称に関する印刷データとして１枚の印刷用紙に印刷するように設定することも可能なように構成されている。
【００３２】
続くステップＳ４０４では、ステップＳ４００，Ｓ４０２，Ｓ４０３の設定内容をＵＩ設定内容の一部として保存するか否かを判別し、保存するときは、所定のレジストリに保存して（ステップＳ４０５）、本処理を終了し、一方、保存しないときはステップＳ４０５をスキップして本処理を終了する。
【００３３】
ステップＳ４０１ａの判別の結果、図４の表示画面１０１ａにおいて、「ＯＫ」キーが押下されたときは（ステップＳ４０１ｂでＹＥＳ）、ステップＳ４０１の部番号の設定を終了すると共に、ステップＳ４０２の関連付け、及びステップＳ４０３のオプション機能の設定をスキップして、必要に応じてステップＳ４０５の保存処理を行って、本処理を終了する。また、図４の表示画面１０１ａにおいて、「キャンセル」キー（不図示）が押下されたときは（ステップＳ４０１ｃでＹＥＳ）、本処理を終了する。
【００３４】
図３の処理によれば、部番号の設定値の範囲と配布先の名称とを関係付ける設定を行う（ステップＳ４０２）ので、部番号の設定値の範囲とは別に印刷データと配布先の名称とを関連付ける必要をなくすことができ、ユーザビリティを向上させることができる。
【００３５】
上記図３のステップＳ４０５では、設定内容を所定のレジストリに保存するとしたが、他の記憶手段、例えば、記憶部１０６、物理的なファイル、データベース、メモリ、又は外部記憶装置に保存してもよい。この場合、図２のステップＳ７では、ＵＩの設定内容を他の記憶手段からも取得する。
【００３６】
図５は、図２のステップＳ８において実行される印刷処理プログラムを詳細に示すフローチャートである。
【００３７】
図５において、まず、図２のステップＳ７で取得したＵＩの設定内容として、図３のステップＳ４０３で設定されるオプション機能の１つである「配布先添付印刷」のチェックボックスがオンになっているか否か、即ち配布先の情報（名称）を印刷する指定があるか否かを判別し（ステップＳ８００）、印刷する指定があるときは、図２のステップＳ７で取得したＵＩの設定内容、又は図３のステップＳ４０３で設定されるオプション機能の１つである「ログを残す」で保存したログに、関連付けられた部番号の設定値の範囲と配布先の名称のデータがあるか否かを判別し（ステップＳ８０１）、関連付けられた部番号の設定値の範囲と配布先の名称のデータがあるときは、関連付けられた部番号の設定値の範囲と配布先の名称のデータ、即ち、図４の表示画面１０１ｂに示すような「関係付け一覧」のデータを取得する（ステップＳ８０２）。
【００３８】
続くステップＳ８０３では、取得した「関係付け一覧」のデータに基づいて、部番号の設定値の範囲に対応するように、配布先の名称を添付した印刷データを生成し、生成した印刷データを印刷装置に送信する印刷処理を実行し、本処理を終了する。印刷装置２００は、送信された配布先の名称及び印刷データの双方を印刷する。なお、配布先の名称は、印刷用紙の一部に印刷データと共に印刷されるか、又は別ジョブの印刷データとして１枚の印刷用紙に印刷される。
【００３９】
これに対して、ステップＳ８００の判別の結果、配布先の名称を印刷する指定がない場合、又はステップＳ８０１の判別の結果、関連付けられた部番号の設定値の範囲と配布先の名称のデータがない場合には、配布先の名称を添付することなく印刷データを生成し、生成した印刷データを印刷装置に送信する印刷処理を実行し（ステップＳ８０４）、本処理を終了する。印刷装置２００は送信された印刷データを印刷する。
【００４０】
図５の処理によれば、取得した「関係付け一覧」のデータに基づいて、部番号の設定値の範囲に対応するように、配布先の名称を印刷データに添付して、配布先の名称及び印刷データの双方を印刷する（ステップＳ８０３）ので、複数の印刷物に同一の部番号の設定されている場合であっても、印刷された配布先の名称により不正コピーの配布先の名称を容易に特定することができ、セキュリティを向上させることができる。
【００４１】
なお、上記実施の形態では、印刷制御装置は、クライアントコンピュータ１００であるとしたが、サーバコンピュータや、パーソナルコンピュータであってもよい。
【００４２】
また、本発明の目的は、上記実施の形態の機能を実現するソフトウェアのプログラムコードを記録した記憶媒体（又は記録媒体）を、システム或いは装置に供給し、そのシステム或いは装置のコンピュータ（又はＣＰＵやＭＰＵ）が記憶媒体に格納されたプログラムコードを読み出し実行することによっても、達成されることは言うまでもない。
【００４３】
この場合、記憶媒体から読み出されたプログラムコード自体が前述した実施の形態の機能を実現することになり、そのプログラムコードを記憶した記憶媒体は本発明を構成することになる。
【００４４】
また、コンピュータが読み出したプログラムコードを実行することにより、前述した実施形態の機能が実現されるだけでなく、そのプログラムコードの指示に基づき、コンピュータ上で稼働しているオペレーティングシステム（ＯＳ）などが実際の処理の一部又は全部を行い、その処理によって前述した実施の形態の機能が実現される場合も含まれることは言うまでもない。
【００４５】
さらに、記憶媒体から読み出されたプログラムコードが、コンピュータに挿入された機能拡張カードやコンピュータに接続された機能拡張ユニットに備わるメモリに書き込まれた後、そのプログラムコードの指示に基づき、その機能拡張カードや機能拡張ユニットに備わるＣＰＵなどが実際の処理の一部又は全部を行い、その処理によって前述した実施の形態の機能が実現される場合も含まれることは言うまでもない。
【００４６】
また、上記プログラムは、上述した実施の形態の機能をコンピュータで実現することができればよく、その形態は、オブジェクトコード、インタプリタにより実行されるプログラム、ＯＳに供給されるスクリプトデータなどの形態を有するものでもよい。
【００４７】
プログラムを供給する記録媒体としては、例えば、ＲＡＭ、ＮＶ−ＲＡＭ、フロッピー（登録商標）ディスク、光ディスク、光磁気ディスク、ＣＤ−ＲＯＭ、ＭＯ、ＣＤ−Ｒ、ＣＤ−ＲＷ、ＤＶＤ（ＤＶＤ−ＲＯＭ、ＤＶＤ−ＲＡＭ、ＤＶＤ−ＲＷ、ＤＶＤ＋ＲＷ）、磁気テープ、不揮発性のメモリカード、他のＲＯＭなどの上記プログラムを記憶できるものであればよい。或いは、上記プログラムは、インターネット、商用ネットワーク、若しくはローカルエリアネットワークなどに接続される不図示の他のコンピュータやデータベースなどからダウンロードすることにより供給される。
【産業上の利用可能性】
【００４８】
本発明の実施の形態に係る印刷システムは、印刷データを印刷する印刷システムに適用することができる。
【図面の簡単な説明】
【００４９】
【図１】本発明の実施の形態に係る印刷システムの構成を概略的に示すブロック図である。
【図２】図１におけるクライアントコンピュータにおいて実行される印刷データ制御処理プログラムのフローチャートである。
【図３】図２のステップＳ４において実行される部番号設定処理プログラムを詳細に示すフローチャートである。
【図４】図３の部番号設定処理で表示部に表示される表示画面の構成を示す図である。
【図５】図２のステップＳ８において実行される印刷処理プログラムを詳細に示すフローチャートである。
【符号の説明】
【００５０】
１００  クライアントコンピュータ
１０１  表示部
１０２  入力部
１０７  プリンタドライバ
１０７ａ  部番号制御部
２００  印刷装置
３００  通信回線
１０００  印刷システム
【図１】
2006134244.tif 000003
【図２】
2006134244.tif 000004
【図３】
2006134244.tif 000005
【図４】
2006134244.tif 000006
【図５】
2006134244.tif 000007